(57)【要約】【課題】浴室内に漏れるファンの運転音を低減させることを可能とする浴室空調装置を提供する。【解決手段】空調装置１は、本体ケース２、換気ユニット３、循環ユニット４及びフロントパネル５を備える。換気ユニット３は、換気ファンユニット６、換気用吸込部７及び回路基板部８を備える。換気ファンユニット６は、換気ファン９、換気ファンモータ１０及び換気ファンケース１１を備える。循環ユニット４は、循環ファンユニット１５、ヒータ１６、吹出部１７、換気用吸込部７及び電動室１８を備える。循環ファンユニット１５は、循環ファン１９、循環ファンモータ２０及び循環ファンケース２１を備える。また、換気ファン９の換気ファン吸込口９ａは上面に配置されている。このような構成により、浴室内の空気を取り込む際の換気ファン９の運転音が浴室内に大きく漏れることを防ぎ、浴室空調装置１の運転音を低減させるものである。【選択図】        図２
2007024448.tif 000002
【特許請求の範囲】
【請求項１】
浴室内の空気を屋外へ排気する換気手段と、
空気を取り込み、取り込んだ空気を浴室内に供給する給気手段を備え、
回転軸を鉛直向きとして、前記換気手段又は前記給気手段のファンの空気吸込口を上面に配置する
ことを特徴とする浴室空調装置。
【請求項２】
金属製の本体ケースを備え、
前記換気手段及び前記給気手段が、前記本体ケースに直接取り付けられる
ことを特徴とする請求項１記載の浴室空調装置。
【請求項３】
前記換気手段は、少なくとも換気ファンと、前記換気ファンを回転駆動する換気ファンモータと、前記換気ファンの風路を形成する換気ファンケースを備えた換気ユニットであり、
前記給気手段は、少なくとも給気ファンと、前記給気ファンを回転駆動する給気ファンモータと、前記給気ファンの風路を形成する給気ファンケースを備えた給気ユニットである
ことを特徴とする請求項１又は２記載の浴室空調装置。
【請求項４】
前記換気手段を、前記給気手段の上側にてファンの前記空気吸込口を上面にして配置し、
装置の下面に、浴室内の空気を吸込む換気吸込口を備え、
前記換気吸込口から前記換気手段の前記空気吸込口の間に換気吸込風路を形成した
ことを特徴とする請求項１乃至３のいずれかに記載の浴室空調装置。
【請求項５】
装置の側面に、他室内の空気を吸込む他室排気吸込口を備え、
前記他室排気吸込口から前記換気手段の前記空気吸込口の間に他室排気吸込風路を形成した
ことを特徴とする請求項１乃至４のいずれかに記載の浴室空調装置。
【発明の詳細な説明】
【技術分野】
【０００１】
本発明は、浴室の空調を行う浴室空調装置に関する。詳しくは、換気手段若しくは給気手段のファンの空気吸込口を上面に配置することにより、ファンの運転音が浴室内に漏れることを防ぎ、浴室内に漏れる浴室空調装置の運転音を低減させることを可能とするものである。
【背景技術】
【０００２】
従来から、浴室の空調を行う浴室空調装置として、浴室内の空気を屋外に排気する換気ファン及び、浴室内の空気を循環させる循環ファンの二種類のファンを備えたものが提供されている。
【０００３】
従来から提供されている換気ファン及び循環ファンを備えた浴室空調装置は、換気ファン及び循環ファンの空気吸込口が下面に配置され、下面に配置された空気吸込口より各ファンによって室内の空気の吸込みを行う構成である。
【０００４】
また上記とは別に、金属製クロスフローファンを用いた構成で、動作のピーク音を低減させる浴室乾燥機が提案されている（例えば特許文献１参照）。
【０００５】
特許文献１に開示される浴室乾燥機は、浴室内の空気を屋外に排気する換気用ファンと、浴室内の空気を循環させる循環用ファンを備える。また特許文献１に開示される浴室乾燥機は、循環用ファンが金属製のクロスフローファンで構成され、ケーシングの舌部が複数の断面形状をランダムに配置した構成である。
【０００６】
このような構成を備えることにより、金属製クロスフローファン特有の舌部との緩衝によるピーク音を低減させるものである。
【０００７】
【特許文献１】特開２００３―５６９８４号公報
【発明の開示】
【発明が解決しようとする課題】
【０００８】
しかし、上述した従来の換気ファン及び循環ファンを備えた浴室空調装置においては、次のような問題がある。従来の換気ファン及び循環ファンを備えた浴室空調装置は、換気ファン及び循環ファンの空気吸込口が下面に配置され、下面に配置された空気吸込口より浴室内の空気の吸込みを行う構成である。このため、下面（浴室側）を向いた空気吸込口から、浴室内に各ファンの運転音が大きく漏れてしまう問題がある。
【０００９】
また、特許文献１に開示されている浴室乾燥機も、循環用ファン及び換気用ファンの空気吸込口が下面を向いた構成である。このため、同様に、下面を向いた空気吸込口から、浴室内に各ファンの運転音が大きく漏れてしまう問題がある。
【００１０】
本発明は、このような問題を解決するためになされたもので、浴室内に漏れるファンの運転音を低減させることを可能とする浴室空調装置を提供することを目的とする。
【課題を解決するための手段】
【００１１】
上述した課題を解決するため、本発明に係る浴室空調装置は、浴室内の空気を屋外へ排気する換気手段と、空気を取り込み、取り込んだ空気を浴室内に供給する供給手段を備え、回転軸を鉛直向きとして、換気手段又は給気手段のファンの空気吸込口を上面に配置することを特徴とするものである。
【００１２】
本発明に係る浴室空調装置では、換気手段の空気吸込口が上面に配置されている場合、次のように浴室の空調が行われる。
【００１３】
換気手段が駆動されると、上面に配置された空気吸込口より浴室内の空気が取り込まれる。換気手段により取り込まれた浴室内の空気は、屋外に排気される。
【００１４】
また、給気手段が駆動されると浴室内の空気が取り込まれる。給気手段により取り込まれた空気は、浴室内に供給される。
【００１５】
また、本発明に係る浴室空調装置では、給気手段の空気吸込口が上面に配置されている場合、次のように浴室の空調が行われる。
【００１６】
換気手段が駆動されると、浴室内の空気が取り込まれる。換気手段により取り込まれた浴室内の空気は、屋外に排気される。
【００１７】
また給気手段が駆動されると、上面に配置された空気吸込口より空気が取り込まれる。給気手段により取り込まれた空気は、浴室内に供給される。
【発明の効果】
【００１８】
本発明の浴室空調装置によれば、換気手段若しくは給気手段のファンの空気吸込口が上面に配置されていることにより、空気を取り込む際のファンの運転音が、浴室内に大きく漏れることを防ぐことができる。これにより、浴室内に漏れる浴室空調装置の運転音を低減させることができる。
【発明を実施するための最良の形態】
【００１９】
以下、図面を参照して本発明の浴室空調装置の実施の形態について説明する。
【００２０】
＜本実施の形態の浴室空調装置の構成例＞
図１から図７は、本実施の形態の浴室空調装置１の一例を示す説明図である。図１は浴室空調装置１の分解斜視図である。図２及び図３は浴室空調装置１の構成を概略的に示す断面図である。図２は図１のＡ−Ａ断面を示し、図３は図１のＢ−Ｂ断面を示している。図２及び図３においては説明のため一部を透視した状態で破線で示している。また図２及び図３においては後述するフロントパネル５を図示していない。
【００２１】
図４及び図５は後述する本体ケース２及び換気ユニット３の構成を概略的に示す説明図である。図４は循環ユニット４を取り外した状態を示し、図５は図４の矢印Ｃで示すように、本体ケース２及び換気ユニット３を下方から見た状態を示している。図４及び図５においては説明のため一部を透視した状態で破線で示している。
【００２２】
図６及び図７は後述する循環ユニット４の構成を概略的に示す説明図である。図６は循環ユニット４の断面を示し、図７は図６の矢印Ｄで示すように、循環ユニット４を下方から見た状態を示している。図６及び図７においては説明のため一部を透視した状態で破線で示している。
【００２３】
本実施の形態の浴室空調装置１は、例えば次に示すような構成となる。図１から図３に示すように、本実施の形態の浴室空調装置１は、本体ケース２、換気ユニット３、循環ユニット４及びフロントパネル５を備えて構成される。
【００２４】
本体ケース２は、所定の高さを有し、下部が開放された四角形状に形成される。また換気ユニット３が循環ユニット４の上部に位置するように、換気ユニット３及び循環ユニット４が本体ケース２の内部に直接取り付けられる。また換気ユニット３は本体ケース２に対して着脱自在に装着される構成となっている。循環ユニット４は、本体ケース２及び換気ユニット３に対して着脱自在に装着される構成となっている。
【００２５】
更に本体ケース２の下部開放部にはフランジ２ａが備えられ、このフランジ２ａにて、本体ケース２の下面からフロントパネル５が装着される。
【００２６】
本体ケース２の側面には、屋外への排気のための排気口２ｂと、浴室以外の洗面所等から空気を吸込むための他室排気吸込口２ｃを備える。また本体ケース２は、不燃性の部材により構成される。本体ケース２は、製造性、コスト等を考慮して、例えば鉄等の金属によって構成される。
【００２７】
図１から図５に示すように、換気ユニット３は、換気ファンユニット６、換気用吸込部Ａ７ａ及び回路基板部８を備えて構成される。換気ファンユニット６は、回転駆動される多翼の換気ファン９と、換気ファン９を回転駆動する換気ファンモータ１０を備える。また、換気ファンモータ１０が取り付けられると共に、風路を形成する換気ファンケース１１を、換気ファンユニット６は備える。なお、換気ファン９、換気ファンモータ１０及び換気ファンケース１１は換気手段の一例である。
【００２８】
換気ファンケース１１は、換気ファン９の軸方向に沿って換気ファン吸込口９ａが形成され、換気ファン吸込口９ａが上面を向いた状態で、本体ケース２に取り付けられる。また図２の矢印Ｌで示すように、所定の高さの領域を本体ケース２内に設けた状態で、換気ファンケース１１は本体ケース２に取り付けられる。
【００２９】
また、換気ファンケース１１の吹出し方向に形成された開口部が本体ケース２の排気口２ｂに取り付けられ、換気ファンケース１１の内部と本体ケース２の排気口２ｂが連通した状態となる。これにより排気風路１２が形成される。
【００３０】
換気用吸込部Ａ７ａは、上面及び下面が開放した筒状の部材により形成され、図２の矢印Ｌで示すように、所定の高さの領域を本体ケース２内に設けた状態で、換気ファンケース１１の側部に位置するように取り付けられる。換気用吸込部Ａ７ａの下面の開放部には、循環ユニット４に備えた後述する換気用吸込部Ｂ７ｂが接続される。換気用吸込部Ａ７ａの内部の空間を通じて、換気用吸込部Ａ７ａの下側の空間と、換気用吸込部Ａ７ａの上側の空間が連通された状態となり、換気用吸込風路１３の一部が形成される。
【００３１】
また、脱衣所、トイレ等の他室の空気を吸込む本体ケース２の他室排気吸込口２ｃと、本体ケース２内部の換気ファンユニット６上部の空間が連通した状態となり、他室排気吸込風路１４が形成される。
【００３２】
また換気ファンユニット６の側部に位置するように、回路基板部８が取り付けられる。回路基板部８の内部には、浴室空調装置１の制御を行うための回路基板などが収納される。
【００３３】
図１から図３、図６及び図７に示すように、循環ユニット４は、循環ファンユニット１５、ヒータ１６、吹出部１７、換気用吸込部Ｂ７ｂ及び電動室１８を備えて構成される。循環ファンユニット１５は、回転駆動される多翼の循環ファン１９と、循環ファン１９を回転駆動する循環ファンモータ２０を備える。また、循環ファンモータ２０が取り付けられると共に、風路を形成する循環ファンケース２１を、循環ファンユニット１５は備える。なお、循環ファン１９は給気ファンの一例であり、循環ファンモータ２０は給気ファンモータの一例であり、循環ファンケース２１は給気ファンケースの一例である。また、循環ファン１９、循環ファンモータ２０及び循環ファンケース２１は給気手段の一例である。
【００３４】
循環ファンケース２１は、循環ファン１９の軸方向に沿って循環用吸込口２２が形成され、循環用吸込口２２が下面を向いた状態で、本体ケース２に取り付けられる。循環ファンケース２１の側面の開口部には、吹出部１７が取り付けられる。吹出部１７は、吸込側と吹出側の二箇所の開口部を備えた内部が空洞の筒状の形状に形成されている。吸込側の開口部は循環ファンケース２１に取り付けられ、吹出側の開口部は下面を向いた状態になっている。この吹出部１７の下面を向いた開口部が吹出口２３を形成する。吹出部１７の内部を通じて、吹出口２３と循環ファンケース２１の内部が連通された状態となり、循環風路２４が形成される。
【００３５】
また循環風路２４を形成する吹出部１７の内部には、ヒータ１６が備えられる。ヒータ１６としては、例えばＰＴＣ（Positive Temperature Coefficient）ヒータが利用可能である。
【００３６】
換気用吸込部Ｂ７ｂは、上面及び下面が開放した筒状の部材により形成され、吹出部１７の側部に位置する。換気用吸込部Ｂ７ｂの下面の開放部は、換気用吸込口２５を形成する。循環ユニット４が本体ケース２及び換気ユニット３に装着された状態では、循環ユニット４の換気用吸込部Ｂ７ｂの上面と、前述した換気ユニット３の換気用吸込部Ａ７ａの下面が接続された状態となる。これにより、循環ユニット４の換気用吸込部Ａ７ａ及び換気ユニット３の換気用吸込部Ｂ７ｂは、一体となって換気用吸込部７を形成し、内部に換気用吸込風路１３を形成する。
【００３７】
また換気用吸込部Ｂ７ｂの換気用吸込口２５の近傍には、シャッタ２６が回動自在に設けられている。シャッタ２６のシャッタ軸２７は、換気用吸込部Ｂ７ｂの壁を貫通して循環ユニット４内部に形成された電動室１８内に進入している。シャッタ軸２７には、電動室１８内でシャッタ駆動ギアＡ２８が取り付けられる。シャッタ駆動ギアＡ２８にはシャッタ駆動ギアＢ２９が噛合され、シャッタ駆動ギアＢ２９には例えばステッピングモータからなるシャッタ用モータ３０が装着される。
【００３８】
このような構成により、シャッタ用モータ３０の駆動によりシャッタ２６が回動する。この回動により、換気用吸込部Ｂ７ｂの換気用吸込口２５の開閉及び、その開閉度の調整が可能となっている。
【００３９】
換気ファン９を動作させ、且つ、換気用吸込口２５を開放することにより、次のように、浴室空調装置１の内部及び外部に空気の流れを生じさせる。換気ファンモータ１０により換気ファン９を駆動し、シャッタ用モータ３０により換気用吸込口２５を開放すると、換気ファン９は、換気用吸込風路１３を通じて、換気用吸込口２５から浴室空調装置１外部の空気を吸込む。更に換気ファン９は、他室排気風路１２を通じて他室排気吸込口２ｃから空気を吸込む。換気ファン９は、吸込んだ空気を、排気風路１２を通じて排気口２ｂから浴室空調装置１の外部に吹出す。
【００４０】
また、循環ファン１９及びヒータ１６を動作させることにより、次のように、浴室空調装置１の内部及び外部に空気の流れを生じさせる。循環ファンモータ２０により循環ファン１９を駆動すると、循環ファン１９は、循環用吸込口２２から浴室空調装置１外部の空気を吸込む。循環ファン１９は、吸込んだ空気を、循環風路２４を通じて吹出口２３から浴室空調装置１の外部に吹出す。また、ヒータ１６は循環ファンにより循環ユニット４の外部に吹出される空気を、循環風路２４の途中で温める。
【００４１】
図８は従来の構造の浴室空調装置５０を示す断面図である。従来の構造の浴室空調装置５０においては、換気ユニット３、循環ユニット４及び回路基板部８といった浴室空調装置１を構成する各コンポーネントは、樹脂等で構成されたキャビネット５１に取り付けられ、キャビネット５１が鉄等の不燃材で構成された本体ケースに取り付けられる構成となっている。
【００４２】
また、キャビネット５１の側面には、成形時に金型からの取り出しを容易にするための抜き勾配が設けられており、キャビネット５１は、上部に行くにしたがって内部が狭くなる構造になっている。
【００４３】
以上のことから、従来の構造の浴室空調装置５０においては、本体ケース２の大きさに対して、浴室空調装置５０を構成する各コンポーネントを取り付けるための空間を大きく取ることができない問題があった。
【００４４】
これに対して本実施の形態の浴室空調装置１は、図２等で説明した通り、従来の構造のようなキャビネット５１を備えず、金属製の本体ケース２に換気ユニット３及び循環ユニット４を直接取り付ける構造である。このため、本実施の形態の浴室空調装置１は、従来の構造の浴室空調装置１と比較して、浴室空調装置１を構成する各コンポーネントを取り付けるための空間を大きく取ることが可能になる。
【００４５】
この結果、本実施の形態の浴室空調装置１は、従来の構造の浴室空調装置１と比較して次のような利点を有する。本実施の形態の浴室空調装置１は、従来の構造の浴室空調装置１と比較して大口径のファンユニットを用いることが可能になる。これにより、より低速のファン回転数で同じ風量の吸込み及び吹出しの空気の風量を得ることが可能になる。これにより、浴室空調装置１全体のファンの運転音を低減させることができる。
【００４６】
また本実施の形態の浴室空調装置１は、従来の構造の浴室空調装置５０と比較して、本体ケース２の大きさに対して、浴室空調装置１を構成する各コンポーネントを取り付けるための空間を大きく取ることができる。このため同一のファンを用いた場合、本実施の形態の浴室空調装置１は、従来の構造の浴室空調装置５０と比較して装置全体の大きさを小さくすることが可能になる。
【００４７】
また本実施の形態の浴室空調装置１は、キャビネット５１を用いない構成であるため、従来の構造の浴室空調装置５０と比較して部品点数を削減することができる。これにより本実施の形態の浴室空調装置１は、容易、且つ、低コストで作製することが可能となる。
【００４８】
また本実施の形態の浴室空調装置１は、本体ケース２に対して換気ユニット３が着脱自在に装着される構成であり、本体ケース２及び換気ユニット３に対して、循環ユニット４が着脱自在に装着される構成である。これにより、循環ユニット４及び換気ユニット３等のメンテナンス性を向上させることが可能になる。
【００４９】
次に、図９を用いて本実施の形態の浴室空調装置１の設置例について説明する。図９は、洗面所３１に隣接した浴室３２に浴室空調装置１が設置された状態を示している。
【００５０】
浴室空調装置１は浴室３２の天井に設置される。浴室３２の天井パネルには、図１等で説明した浴室空調装置１の本体ケース４が入る開口部が形成され、浴室空調装置１は、フロントパネル５が露出するようにして、天井裏から吊り下げる形態、あるいは天井パネルに固定する形態等で取り付けられる。
【００５１】
浴室３２の天井に取り付けられた浴室空調装置１では、図２に示す他室排気吸込口２ｃに取り付けられた他室排気ダクト接続部３３に他室排気ダクト３４が接続される。他室排気ダクト３４は、洗面所３１の天井に設けられた洗面所排気吸込口３５に接続される。
【００５２】
また浴室空調装置１では、図２に示す排気口２ｂに取り付けられた排気ダクト接続部３６に排気ダクト３７が接続される。排気ダクト３７は、図示しない建物の外壁に取り付けた排気グリル３８に接続される。これにより、浴室空調装置１で吸込んだ浴室３２内の空気及び、他室排気ダクト３４通じて吸込んだ洗面所３１内の空気を、排気ダクト３７を介して外に排気できる構成となっている。
【００５３】
浴室空調装置１は、洗濯物等を乾燥させる機能も備えるので、浴室３２には洗濯物等を掛けるランドリパイプ３９を備える。ここで、浴室空調装置１の図２等に示す吹出口２３から吹き出す空気が、浴槽３２ａから出て洗い場３２ｂに居る入浴者に直接当たると、寒さを感じることがある。このため、吹き出し方向がランドリパイプ３９側に向くように設定される。
【００５４】
例えば、吹出グリルを取り付ける向きで吹き出し方向が調整できる構成では、浴室空調装置１の設置位置に応じて自在に吹き出し方向が調整可能であり、ランドリパイプ３９側に向くように吹き出し方向が設定可能である。
【００５５】
浴室３２の入口には浴室ドア４０を備える。浴室ドア４０は空気取入口（ガラリ）４０ａを備え、洗面所３１等の空気を浴室３２内に取り込めるようになっている。
【００５６】
図２等で説明した浴室空調装置１は、他室排気吸込口２ｃを一つ設け、洗面所３１からの排気を吸込み、吸込んだ空気を排気口２ｂから排気する構成とした。しかし、他室排気吸込口２ｃを複数設け、複数の他室からの排気を吸込み、吸込んだ空気を排気口２ｂから排気する構成としても良い。また、他室排気吸込口２ｃを設けず、他室からの排気の吸込みを行わない構成としても良い。
【００５７】
また、図２等で説明した浴室空調装置１は、換気ユニット３が循環ユニット４の上側に配置され、換気ファン９の換気ファン吸込口９ａが上面に配置される構成とした。しかし、循環ユニット４が換気ユニット３の上側に配置され、循環ファン１９の空気吸込口が上面に配置される構成としても良い。
【００５８】
また、図２等で説明した浴室空調装置１は、換気ファン９と循環ファン１９の各回転軸を鉛直向きに配置する構成とした。しかし、換気ファン９と循環ファン１９の各回転軸を水平向きに配置する構成としても良い。また、図２等で説明した浴室空調装置１は、換気ユニット３及び循環ユニット４を上下に配置する構成とした。しかし、換気ユニット３及び循環ユニット４を左右に配置する構成としても良い。
【００５９】
＜本実施の形態の浴室空調装置の制御例＞
図１０は浴室空調装置１の制御機能の一例を示すブロック図である。浴室空調装置１は、ＣＰＵ（Central Processing Unit）やメモリ等で構成される制御部４１に、図１等で説明した換気ファン９を駆動する換気ファンモータ１０と、循環ファン１９を駆動する循環ファンモータ２０と、シャッタ２６を駆動するシャッタ用モータ３０と、ヒータ１６と、操作部４２等が接続される。
【００６０】
制御部４１は、図示しないメモリ等に格納されたプログラムよって例えば暖房運転モード、換気運転モード、涼風運転モード及び乾燥運転モードを実行する。
【００６１】
これらの運転モードは、入浴者等の利用者が操作部４２を操作すること等により選択され、制御部４１は、選択された運転モードを実行するプログラムに従い換気ファンモータ１０、循環ファンモータ２０、シャッタ用モータ３０及びヒータ１６等を制御する。
【００６２】
操作部４２は、例えば浴室空調装置１本体と独立したリモートコントロール装置で、図９に示すように、洗面所３１の壁面等に取り付けられる。
【００６３】
図１１は操作部４２の一例を示す構成図である。操作部４２は表示部４２ａと、各種操作ボタン等を備える。操作ボタンとしては、暖房運転モードを選択する暖房モードボタン４２ｂと、涼風運転モードを選択する涼風モードボタン４２ｃと、換気運転モードを選択する換気モードボタン４２ｄと、乾燥運転モードを選択する乾燥モードボタン４２ｅを備える。
【００６４】
また、選択した運転モードを利用者が確認できるように、例えば各ボタンに対応してランプ４２ｆを備え、選択された運転モードのボタンに対応するランプ４２ｆが点灯するようにしても良い。更に、タイマボタン４２ｇを備えて、設定した時間に所望の運転モードが実行できるようにしても良い。
【００６５】
＜本実施の形態の浴室空調装置の動作例＞
次に本実施の形態の浴室空調装置の動作例について説明する。まず、換気運転モードについて説明する。図１２及び図１３は換気運転モード時の浴室空調装置１の状態を示す構成図である。図１０で説明した制御部４１は、操作部４２の換気モードボタン４２ｄが押されると、換気運転モードを実行する。換気運転モードでは循環ファン１９の回転は停止される。
【００６６】
また換気運転モードでは、換気ファンモータ１０により換気ファン９が駆動される。更にシャッタ用モータ３０によりシャッタ２６が回動され、換気用吸込部７の換気用吸込口２５が開放される。換気ファン９が駆動され、換気用吸込口２５が開放されると、フロントパネル５の換気用吸込口５ｃを介して、換気用吸込口２５から浴室３２の空気が吸込まれる。換気用吸込口２５から吸込まれた空気は、換気用吸込風路１３を通り換気ファン９に吸込まれる。
【００６７】
また、他室排気ダクト３４及び他室排気吸込口２ｃを通って、図９で示す洗面所３１等の他室の空気が吸込まれる。他室排気吸込口２ｃから吸込まれた空気は、他室排気風路１２を通って換気ファン９に吸込まれる。
【００６８】
換気ファン９に吸込まれた空気は、排気風路１２及び排気口２ｂを通り、更に、図９で示す排気ダクト３７を通って排気グリル３８から屋外へ排気される。
【００６９】
また、浴室３２内の空気を屋外に排気することで、浴室ドア４０に設けた空気取入口４０ａから、洗面所３１等の空気が吸込まれる。
【００７０】
これにより、換気運転モードを実行することで、浴室３２内の湯気や湿気を排気して結露等を抑制し、カビの発生を抑えることができる。
【００７１】
また上述した通常の換気運転モードの他に、例えば２４時間換気運転モードがある。２４時間換気運転モードにおいては、住宅全体又は住宅の所定エリアの容積について所定の換気回数（例えば０．５回／時間）を満たすため、常時換気ファン９が動作して住宅内の換気が行われる。
【００７２】
２４時間換気運転モードは、通常は連続運転されるが、断続運転されても良い。２４時間換気運転モードは、例えば、図１１に示す操作部４２に備えられるボタンにより選択され実行される。２４時間換気運転モードの動作時は、上述した通常の換気運転モードの動作時と同様に、換気ファンモータ１０により換気ファン９が駆動される。更にシャッタ用モータ３０によりシャッタ２６が回動され、換気用吸込部７の換気用吸込口２５が開放される。換気ファン９が駆動され、換気用吸込口２５が開放されると、フロントパネル５の換気用吸込口５ｃを介して、換気用吸込口２５から浴室３２の空気が吸込まれる。換気用吸込口２５から吸込まれた空気は、換気用吸込風路１３を通り換気ファン９に吸込まれる。
【００７３】
また、他室排気ダクト３４及び他室排気吸込口２ｃを通って、図９で示す洗面所３１等の他室の空気が吸込まれる。他室排気吸込口２ｃから吸込まれた空気は、他室排気風路１２を通って換気ファン９に吸込まれる。
【００７４】
換気ファン９に吸込まれた空気は、排気風路１２及び排気口２ｂを通り、更に、図９で示す排気ダクト３７を通って排気グリル３８から屋外へ排気される。
【００７５】
２４時間換気運転モードが実行されている状態で、換気モードボタン４２ｄが選択された際は、次に示すような方法により、住宅全体で換気される空気が所定の量に保たれる。２４時間換気運転モードが実行されている状態で、換気モードボタン４２ｄが選択されると、換気用吸込口２５のシャッタ２６の開度が広げられ浴室３２内から吸込まれる空気の量が増やされる。これにより他室排気吸込口２ｃを介して吸込まれる他室の空気の量は少なくなり、住宅全体で換気される空気は所定の量に保たれる。
【００７６】
また、他室排気吸込口２ｃが複数備えられているような場合は、他室排気ダクト接続部３３に電動式のシャッタを設け、このシャッタの開度を狭くすることにより洗面所３１等の他室から吸込まれる空気の量を少なくし、住宅全体で換気される空気が所定の量に保たれるようにしても良い。
【００７７】
更に、洗面所３１等の他室の照明スイッチ等を他室換気スイッチとして用いて、住宅全体で換気される空気が所定の量に保たれるようにしても良い。他室換気スイッチが選択された際は、換気用吸込口２５のシャッタ２６の開度を狭くし、浴室３２内から吸込まれる空気の量を少なくして、洗面所３１等の他室の空気の吸込み量が増やされる。この結果、住宅全体で換気される空気の量が所定の量に保たれる。
【００７８】
本実施の形態の浴室空調装置１によれば、換気ファン９の換気ファン吸込口９ａが上面に配置されていることにより、２４時間換気運転モードにより常時換気運転を行っても、ファンの運転音が、浴室３２内及び浴室３２を通じて洗面所３１等に漏れることを防ぐことができる。
【００７９】
次に、暖房運転モードについて説明する。図１４及び図１５は暖房運転モード時の浴室空調装置１の状態を示す構成図である。図１０で説明した制御部４１は、操作部４２の暖房モードボタン４２ｂが押されると、暖房運転モードを実行する。暖房運転モードでは、換気ファン９の回転は停止される。また、シャッタ用モータ３０によりシャッタ２６が回動され、換気用吸込部７の換気用吸込口２５が閉塞される。
【００８０】
また暖房運転モードでは、循環ファンモータ２０により循環ファン１９が駆動される。更に暖房運転モードではヒータ１６が通電される。循環ファンモータ２０により循環ファン１９が駆動されると、フロントパネル５の循環用吸込口５ｂを介して、循環用吸込口２２から浴室３２の空気が吸込まれる。循環用吸込口２２から吸込まれた空気は、循環風路２４を通り吹出口２３から、フロントパネル５の吹出口５ａを介して浴室３２内に吹出される。ヒータ１６は循環風路２４に配置されるので、ヒータ１６が通電され加熱された状態では、循環風路２４を通る空気が暖められて吹出口２３から吹出す。
【００８１】
これにより、暖房運転モードを実行することができ、浴室３２内の空気を循環させながら浴室３２内を暖房して、温度を上げることができる。
【００８２】
また、上述した例においては、換気ファン９の回転は停止されるとした。しかし、洗面所３１等の他室から吸込んだ空気を排気するために、暖房運転モード時に、換気用吸込部７の換気用吸込口２５を閉塞した状態で換気ファン９を回転させるとしても良い。換気用吸込部７の換気用吸込口２５を閉塞することにより、浴室３２内の暖められた空気が浴室３２の外に逃げることを防ぐことができる。
【００８３】
次に、乾燥運転モードについて説明する。図１６及び図１７は乾燥運転モード時の浴室空調装置１の状態を示す構成図である。図１０で説明した制御部４１は、操作部４２の乾燥モードボタン４２ｅが押されると、乾燥運転モードを実行する。乾燥運転モードでは、換気ファンモータ１０により換気ファン９が駆動される。更にシャッタ用モータ３０によりシャッタ２６が回動され、換気用吸込部７の換気用吸込口２５が開放される。換気ファン９が駆動され、換気用吸込口２５が開放されると、フロントパネル５の換気用吸込口５ｃを介して、換気用吸込口２５から浴室３２の空気が吸込まれる。換気用吸込口２５から吸込まれた空気は、換気用吸込風路１３を通り換気ファン９に吸込まれる。
【００８４】
また、他室排気ダクト３４及び他室排気吸込口２ｃを通って、図９で示す洗面所３１等の他室の空気が吸込まれる。他室排気吸込口２ｃから吸込まれた空気は、他室排気風路１２を通って換気ファン９に吸込まれる。
【００８５】
換気ファン９に吸込まれた空気は、排気風路１２及び排気口２ｂを通り、更に、図９で示す排気ダクト３７を通って排気グリル３８から屋外へ排気される。
【００８６】
また、浴室３２内の空気を屋外に排気することで、浴室ドア４０に設けた空気取入口４０ａから、洗面所３１等の空気が吸込まれる。
【００８７】
また乾燥運転モードでは、循環ファンモータ２０により循環ファン１９が駆動され、ヒータ１６が通電される。循環ファンモータ２０により循環ファン１９が駆動されると、フロントパネル５の循環用吸込口５ｂを介して、循環用吸込口２２から浴室３２の空気が吸込まれる。循環用吸込口２２から吸込まれた空気は、循環風路２４を通り吹出口２３から、フロントパネル５の吹出口５ａを介して浴室３２内に吹出される。ヒータ１６は循環風路２４に配置されるので、ヒータ１６が通電され加熱された状態では、循環風路２４を通る空気が暖められて吹出口２３から吹出す。
【００８８】
これにより、乾燥運転モードを実行することで、浴室３２内に温風を吹出して、ランドリパイプ３９に掛けられた洗濯物を乾燥させることができる。また、浴室３２内の空気の一部は屋外に排気され、空気取入口４０ａから洗面所３１等の空気を取り込むことで、浴室３２内の換気が行われるので、湿気等を排出して、洗濯物の乾燥を促進することができる。
【００８９】
次に、涼風運転モードについて説明する。涼風運転モード時は、浴室空調装置１は図１６及び図１７に示す状態となる。図１０で説明した制御部４１は、操作部４２の涼風モードボタン４２ｃが押されると、涼風運転モードを実行する。涼風運転モードでは、換気ファンモータ１０により換気ファン９が駆動される。更にシャッタ用モータ３０によりシャッタ２６が回動され、換気用吸込部７の換気用吸込口２５が開放される。換気ファン９が駆動され、換気用吸込口２５が開放されると、フロントパネル５の換気用吸込口５ｃを介して、換気用吸込口２５から浴室３２の空気が吸込まれる。換気用吸込口２５から吸込まれた空気は、換気用吸込風路１３を通り換気ファン９に吸込まれる。
【００９０】
また、他室排気ダクト３４及び他室排気吸込口２ｃを通って、図９で示す洗面所３１等の他室の空気が吸込まれる。他室排気吸込口２ｃから吸込まれた空気は、他室排気風路１２を通って換気ファン９に吸込まれる。
【００９１】
換気ファン９に吸込まれた空気は、排気風路１２及び排気口２ｂを通り、更に、図９で示す排気ダクト３７を通って排気グリル３８から屋外へ排気される。
【００９２】
また、浴室３２内の空気を屋外に排気することで、浴室ドア４０に設けた空気取入口４０ａから、洗面所３１等の空気が吸込まれる。
【００９３】
循環ファンモータ２０により循環ファン１９が駆動されると、フロントパネル５の循環用吸込口５ｂを介して、循環用吸込口２２から浴室３２の空気が吸込まれる。循環用吸込口２２から吸込まれた空気は、循環風路２４を通り吹出口２３から、フロントパネル５の吹出口５ａを介して浴室３２内に吹出される。
【００９４】
これにより、涼風運転モードを実行することができ、浴室３２内の湿度の高い空気を排気し、浴室３２内の空気を循環させながら、浴室３２内の温度に応じた涼風が吹出され、浴室空調装置１を夏場等に扇風機として使用することができる。
【００９５】
また、上述した例において、換気ファン９の回転を停止させ、換気用吸込口２５を閉塞させても良い。
【００９６】
本実施の形態の浴室空調装置１によれば、換気ファン９の換気ファン吸込口９ａ又は循環ファン１９の空気吸込口が上面に配置されていることにより、浴室３２及び他室内の空気を取り込む際のファンの運転音が、浴室３２内に大きく漏れることを防ぐことができる。これにより、浴室３２内に漏れる浴室空調装置１の運転音を低減させることができる。
【産業上の利用可能性】
【００９７】
本発明は、浴室の空調を行う浴室空調装置に適用される。
【図面の簡単な説明】
【００９８】
【図１】本実施の実施の形態の浴室空調装置の分解斜視図である。
【図２】本実施の実施の形態の浴室空調装置を示す説明図である。
【図３】本実施の実施の形態の浴室空調装置を示す説明図である。
【図４】本実施の実施の形態の浴室空調装置を示す説明図である。
【図５】本実施の実施の形態の浴室空調装置を示す説明図である。
【図６】本実施の実施の形態の浴室空調装置を示す説明図である。
【図７】本実施の実施の形態の浴室空調装置を示す説明図である。
【図８】従来のの実施の形態の浴室空調装置の例を示す説明図である。
【図９】本実施の実施の形態の浴室空調装置の設置例を示す説明図である。
【図１０】本実施の実施の形態の浴室空調装置の制御機能例を示す説明図である。
【図１１】本実施の実施の形態の浴室空調装置の操作部の例を示す説明図である。
【図１２】換気運転モード時の浴室空調装置の状態を示す説明図である。
【図１３】換気房運転モード時の浴室空調装置の状態を示す説明図である。
【図１４】暖房運転モード時の浴室空調装置の状態を示す説明図である。
【図１５】暖房運転モード時の浴室空調装置の状態を示す説明図である。
【図１６】乾燥運転モード時の浴室空調装置の状態を示す説明図である。
【図１７】乾燥運転モード時の浴室空調装置の状態を示す説明図である。
【符号の説明】
【００９９】
１・・・浴室空調装置、２・・・本体ケース、２ａ・・・フランジ、２ｂ・・・排気口、２ｃ・・・他室排気吸込口、３・・・換気ユニット、４・・・循環ユニット、５・・・フロントパネル、５ａ・・・吹出口、５ｂ・・・循環用吸込口、５ｃ・・・換気用吸込口、６・・・換気ファンユニット、７・・・換気用吸込部、８・・・回路基板部、９・・・換気ファン、９ａ・・・換気ファン吸込口、１０・・・換気ファンモータ、１１・・・換気ファンケース、１２・・・排気風路、１３・・・換気用吸込風路、１４・・・他室排気吸込風路、１５・・・循環ファンユニット、１６・・・ヒータ、１７・・・吹出部、１８・・・電動室、１９・・・循環ファン、２０・・・循環ファンモータ、２１・・・循環ファンケース、２２・・・循環用吸込口、２３・・・吹出口、２４・・・循環風路、２５・・・換気用吸込口、２６・・・シャッタ、２７・・・シャッタ軸、２８・・・シャッタ駆動ギアＡ、２９・・・シャッタ駆動ギアＢ、３０・・・シャッタ用モータ、３１・・・洗面所、３２・・・浴室、３２ａ・・・浴槽、３２ｂ・・・洗い場、３３・・・他室排気ダクト接続部、３４・・・他室排気ダクト、３５・・・洗面所排気吸込口、３６・・・排気ダクト接続部、３７・・・排気ダクト、３８・・・排気グリル、３９・・・ランドリパイプ、４０・・・浴室ドア、４０ａ・・・空気取入口、４１・・・制御部、４２・・・操作部、５０・・・浴室空調装置、５１・・・キャビネット
【図１】
2007024448.tif 000003
【図２】
2007024448.tif 000004
【図３】
2007024448.tif 000005
【図４】
2007024448.tif 000006
【図５】
2007024448.tif 000007
【図６】
2007024448.tif 000008
【図７】
2007024448.tif 000009
【図８】
2007024448.tif 000010
【図９】
2007024448.tif 000011
【図１０】
2007024448.tif 000012
【図１１】
2007024448.tif 000013
【図１２】
2007024448.tif 000014
【図１３】
2007024448.tif 000015
【図１４】
2007024448.tif 000016
【図１５】
2007024448.tif 000017
【図１６】
2007024448.tif 000018
【図１７】
2007024448.tif 000019